(57)【要約】【課題】カールの発生した用紙を整合して収容する事を可能となし、且つ、用紙曲がりのばらつきをなくすようにしたスタッカ、該スタッカを有する後処理装置、該後処理装置を接続した画像形成システムを提供する。【解決手段】用紙を受容して積載する用紙積載台と、用紙の先端部を突き当てて整合する突き当て部材とを有するスタッカにおいて、用紙の受容方向と直交する方向に配置されたパドルと、パドルを回転させる駆動伝達部材と、パドルを用紙の搬送方向と直交する方向に移動させる位置変更部材と、を有し、位置変更部材によりパドルを用紙の搬送方向と直交する方向に移動させ、用紙積載台の載置面に受容される用紙をパドルにより押圧しつつ搬送するスタッカ。【選択図】図１
2008024506.tif 000002
【特許請求の範囲】
【請求項１】
用紙を受容して積載する用紙積載台と、
用紙の先端部を突き当てて整合する用紙突き当て部材と、
用紙を押圧すると共に前記用紙を前記用紙突き当て部材の方向へ搬送する複数のパドルと、
用紙の搬送方向と直交する方向へ移動して前記パドルの配置を変更するように、前記パドルの移動を制御する制御部と、を有し、
前記制御部は、前記パドルを用紙の両端部に配置し、前記パドルにより用紙の両端部を押圧するように制御することを特徴とするスタッカ。
【請求項２】
前記制御部は、用紙のサイズに基づき、用紙のサイズ毎の両端部に前記パドルを配置することを特徴とする請求項１に記載のスタッカ。
【請求項３】
前記制御部は、前記パドルを用紙の両端部又は中央部に配置し、用紙の両端部又は中央部を押圧するように制御することを特徴とする請求項１に記載のスタッカ。
【請求項４】
前記制御部は、用紙の種類に基づき、用紙の両端部又は中央部に前記パドルを配置することを特徴とする請求項３に記載のスタッカ。
【請求項５】
前記制御部は、用紙の種類において、中央部へパドルを配置する設定がされている種類の用紙である場合、前記パドルを、用紙の両端部でなく中央部に配置することを特徴とする請求項３に記載のスタッカ。
【請求項６】
前記パドルの配置位置を設定するパドル位置設定部を有し、
前記制御部は、前記パドル位置設定部により設定される位置に前記パドルを配置することを特徴とする請求項１に記載のスタッカ。
【請求項７】
前記パドルの配置位置を設定するパドル位置設定部を有し、
前記制御部は、前記パドル位置設定部にて配置位置が設定された場合、用紙のサイズに係わらず設定された配置位置に配置することを特徴とする請求項２に記載のスタッカ。
【請求項８】
前記パドルの配置位置を設定するパドル位置設定部を有し、前記制御部は、前記パドル位置設定部にて配置位置が設定された場合、用紙の種類に係わらず設定された配置位置に配置することを特徴とする請求項５に記載のスタッカ。
【請求項９】
前記制御部は、前記パドル位置設定部にて配置位置が設定された場合、用紙のサイズ、用紙の種類に係わらず設定された配置位置に配置することを特徴とする請求項６に記載のスタッカ。
【請求項１０】
用紙の搬送方向と直交する方向に駆動して用紙を整合する整合部材を有することを特徴とする請求項１〜１０の何れか一項に記載のスタッカ。
【請求項１１】
用紙を受容して積載する用紙積載台と、
用紙の先端部を突き当てて整合する用紙突き当て部材と、
用紙を押圧すると共に前記用紙を前記用紙突き当て部材の方向へ搬送する複数のパドルと、
用紙の搬送方向と直交する方向へ移動して前記パドルの配置を変更するように、前記パドルの移動を制御する制御部と、
前記用紙積載台で整合された複数枚の用紙に後処理を行う後処理部と、
を有し、
前記制御部は、前記パドルを用紙の両端部に配置し、前記パドルにより用紙の両端部を押圧するように制御することを特徴とする後処理装置。
【請求項１２】
前記制御部は、用紙のサイズに基づき、用紙のサイズ毎の両端部に前記パドルを配置することを特徴とする請求項１１に記載の後処理装置。
【請求項１３】
前記制御部は、前記パドルを用紙の両端部又は中央部に配置し、用紙の両端部又は中央部を押圧するように制御することを特徴とする請求項１１に記載の後処理装置。
【請求項１４】
前記制御部は、用紙の種類に基づき、用紙の両端部又は中央部に前記パドルを配置することを特徴とする請求項１３に記載の後処理装置。
【請求項１５】
前記制御部は、用紙の種類において、中央部へパドルを配置する設定がされている種類の用紙である場合、前記パドルを、用紙の両端部でなく中央部に配置することを特徴とする請求項１３に記載の後処理装置。
【請求項１６】
前記パドルの配置位置を設定するパドル位置設定部を有し、
前記制御部は、前記パドル位置設定部により設定される位置に前記パドルを配置することを特徴とする請求項１１に記載の後処理装置。
【請求項１７】
前記パドルの配置位置を設定するパドル位置設定部を有し、
前記制御部は、前記パドル位置設定部にて配置位置が設定された場合、用紙のサイズに係わらず設定された配置位置に配置することを特徴とする請求項１２に記載の後処理装置。
【請求項１８】
前記パドルの配置位置を設定するパドル位置設定部を有し、前記制御部は、前記パドル位置設定部にて配置位置が設定された場合、用紙の種類に係わらず設定された配置位置に配置することを特徴とする請求項１５に記載の後処理装置。
【請求項１９】
前記制御部は、前記パドル位置設定部にて配置位置が設定された場合、用紙のサイズ、用紙の種類に係わらず設定された配置位置に配置することを特徴とする請求項１６に記載の後処理装置。
【請求項２０】
用紙の搬送方向と直交する方向に駆動して用紙を整合する整合部材を有することを特徴とする請求項１１〜１９の何れか一項に記載の後処理装置。
【請求項２１】
像担持体上に画像を形成する画像形成部、用紙面に画像を転写する転写装置および転写されたトナー像を定着する定着装置を有する画像形成装置と、
前記画像形成装置に接続された後処理装置と、を有する画像形成システムにおいて、
前記後処理装置は、
用紙を受容して積載する用紙積載台と、
用紙の先端部を突き当てて整合する用紙突き当て部材と、
用紙を押圧すると共に前記用紙を前記用紙突き当て部材の方向へ搬送する複数のパドルと、
用紙の搬送方向と直交する方向へ移動して前記パドルの配置を変更するように、前記パドルの移動を制御する制御部と、
前記用紙積載台で整合された複数枚の用紙に後処理を行う後処理部と、
を有し、
前記制御部は、前記パドルを用紙の両端部に配置し、前記パドルにより用紙の両端部を押圧するように制御することを特徴とする画像形成システム。
【請求項２２】
前記制御部は、用紙のサイズに基づき、用紙のサイズ毎の両端部に前記パドルを配置することを特徴とする請求項２１に記載の画像形成システム。
【請求項２３】
前記制御部は、前記パドルを用紙の両端部又は中央部に配置し、用紙の両端部又は中央部を押圧するように制御することを特徴とする請求項２１に記載の画像形成システム。
【請求項２４】
前記制御部は、用紙の種類に基づき、用紙の両端部又は中央部に前記パドルを配置することを特徴とする請求項２３に記載の画像形成システム。
【請求項２５】
前記制御部は、用紙の種類において、中央部へパドルを配置する設定がされている種類の用紙である場合、前記パドルを、用紙の両端部でなく中央部に配置することを特徴とする請求項２３に記載の画像形成システム。
【請求項２６】
前記パドルの配置位置を設定するパドル位置設定部を有し、
前記制御部は、前記パドル位置設定部により設定される位置に前記パドルを配置することを特徴とする請求項２１に記載の画像形成システム。
【請求項２７】
前記パドルの配置位置を設定するパドル位置設定部を有し、
前記制御部は、前記パドル位置設定部にて配置位置が設定された場合、用紙のサイズに係わらず設定された配置位置に配置することを特徴とする請求項２２に記載の画像形成システム。
【請求項２８】
前記パドルの配置位置を設定するパドル位置設定部を有し、前記制御部は、前記パドル位置設定部にて配置位置が設定された場合、用紙の種類に係わらず設定された配置位置に配置することを特徴とする請求項２５に記載の画像形成システム。
【請求項２９】
前記制御部は、前記パドル位置設定部にて配置位置が設定された場合、用紙のサイズ、用紙の種類に係わらず設定された配置位置に配置することを特徴とする請求項２６に記載の画像形成システム。
【請求項３０】
用紙の搬送方向と直交する方向に駆動して用紙を整合する整合部材を有することを特徴とする請求項２１〜２９の何れか一項に記載の画像形成システム。
【発明の詳細な説明】
【技術分野】
【０００１】
本発明は、複数枚の用紙を整合して収容するスタッカ、該スタッカを備えて後処理を行う後処理装置、及び該後処理装置を接続した電子写真方式の複写機、プリンタ、複合機等の画像形成装置を有する画像形成システムに関する。
【背景技術】
【０００２】
近年、電子写真方式の複写機、プリンタ、ファクシミリ、及びこれらを組み合わせた複合機等の画像形成装置には、画像形成された用紙をスタッカに積載した後、綴じ処理、折り処理、糊付け処理等の後処理を行う後処理装置が接続され、画像形成システムを構成している。これにより、ユーザーが手作業で、画像形成された用紙に綴じ処理等をする手間が省かれ、事務作業が効率的になっている。
【０００３】
このような後処理装置において、個々の用紙が前工程でカールしていて、位置ずれや傾きを発生した状態で用紙積載台上に積載された後に後処理がされると、用紙が不揃いになって見栄えが悪くなるという品質上の問題がある。
【０００４】
このために、従来は用紙を搬送方向と直交する方向に整合部材を付き当てて整合したり、搬送部材の部品精度を上げることで、用紙の位置ずれや傾きを修正していた。
【０００５】
このような問題に対処する一例として、特許文献１に開示されたシート処理装置では、用紙の先端部を揃えるために、複数の引き込みパドルを、固定して配置している（図６に示す４箇所）。
【特許文献１】特開平１１−１９９１２１号公報
【発明の開示】
【発明が解決しようとする課題】
【０００６】
上記の特許文献１のシート処理装置においては、パドルが一定の位置に固定されているため、多種多様な用紙サイズの用紙に対してパドルが当接する位置が異なるため、パドルの効果が用紙サイズにより異なってくる。特に、両端部にカールが著しく発生していると、用紙サイズによってはパドルの当接位置が内側へずれる場合があり、当接したパドルより外側の端部に発生しているカールが保持されたままとなり、整合部材により整合しても、必ずしも用紙の不揃いを解消できるとは限らない。
【０００７】
更に、用紙のカール形状は用紙の種類によっても異なり、山型と谷型のカールを発生する。例えば、再生紙、薄手用紙、厚手用紙、上質紙、裏紙等の用紙や、カラートナー像を形成した用紙等によっても異なる。
【０００８】
本発明はかかる問題に鑑みてなされたものであり、カールの発生した用紙でも整合して収容する事を可能となし、且つ、用紙曲がりのばらつきをなくすようにしたスタッカ、該スタッカを有する後処理装置、該後処理装置を接続した画像形成システムを提供することを目的とする。
【課題を解決するための手段】
【０００９】
１．用紙を受容して積載する用紙積載台と、用紙の先端部を突き当てて整合する用紙突き当て部材と、用紙を押圧すると共に前記用紙を前記用紙突き当て部材の方向へ搬送する複数のパドルと、用紙の搬送方向と直交する方向へ移動して前記パドルの配置を変更するように、前記パドルの移動を制御する制御部と、を有し、前記制御部は、前記パドルを用紙の両端部に配置し、前記パドルにより用紙の両端部を押圧するように制御することを特徴とするスタッカ。
【００１０】
２．前記制御部は、用紙のサイズに基づき、用紙のサイズ毎の両端部に前記パドルを配置することを特徴とする前記１に記載のスタッカ。
【００１１】
３．前記制御部は、前記パドルを用紙の両端部又は中央部に配置し、用紙の両端部又は中央部を押圧するように制御することを特徴とする前記１に記載のスタッカ。
【００１２】
４．前記制御部は、用紙の種類に基づき、用紙の両端部又は中央部に前記パドルを配置することを特徴とする前記３に記載のスタッカ。
【００１３】
５．前記制御部は、用紙の種類において、中央部へパドルを配置する設定がされている種類の用紙である場合、前記パドルを、用紙の両端部でなく中央部に配置することを特徴とする前記３に記載のスタッカ。
【００１４】
６．前記パドルの配置位置を設定するパドル位置設定部を有し、前記制御部は、前記パドル位置設定部により設定される位置に前記パドルを配置することを特徴とする前記１に記載のスタッカ。
【００１５】
７．前記パドルの配置位置を設定するパドル位置設定部を有し、前記制御部は、前記パドル位置設定部にて配置位置が設定された場合、用紙のサイズに係わらず設定された配置位置に配置することを特徴とする前記２に記載のスタッカ。
【００１６】
８．前記パドルの配置位置を設定するパドル位置設定部を有し、前記制御部は、前記パドル位置設定部にて配置位置が設定された場合、用紙の種類に係わらず設定された配置位置に配置することを特徴とする前記５に記載のスタッカ。
【００１７】
９．前記制御部は、前記パドル位置設定部にて配置位置が設定された場合、用紙のサイズ、用紙の種類に係わらず設定された配置位置に配置することを特徴とする前記６に記載のスタッカ。
【００１８】
１０．用紙の搬送方向と直交する方向に駆動して用紙を整合する整合部材を有することを特徴とする前記１〜１０の何れかに記載のスタッカ。
【００１９】
１１．用紙を受容して積載する用紙積載台と、用紙の先端部を突き当てて整合する用紙突き当て部材と、用紙を押圧すると共に前記用紙を前記用紙突き当て部材の方向へ搬送する複数のパドルと、用紙の搬送方向と直交する方向へ移動して前記パドルの配置を変更するように、前記パドルの移動を制御する制御部と、前記用紙積載台で整合された複数枚の用紙に後処理を行う後処理部と、を有し、前記制御部は、前記パドルを用紙の両端部に配置し、前記パドルにより用紙の両端部を押圧するように制御することを特徴とする後処理装置。
【００２０】
１２．像担持体上に画像を形成する画像形成部、用紙面に画像を転写する転写装置および転写されたトナー像を定着する定着装置を有する画像形成装置と、前記画像形成装置に接続された後処理装置と、を有する画像形成システムにおいて、前記後処理装置は、用紙を受容して積載する用紙積載台と、用紙の先端部を突き当てて整合する用紙突き当て部材と、用紙を押圧すると共に前記用紙を前記用紙突き当て部材の方向へ搬送する複数のパドルと、用紙の搬送方向と直交する方向へ移動して前記パドルの配置を変更するように、前記パドルの移動を制御する制御部と、前記用紙積載台で整合された複数枚の用紙に後処理を行う後処理部と、を有し、前記制御部は、前記パドルを用紙の両端部に配置し、前記パドルにより用紙の両端部を押圧するように制御することを特徴とする画像形成システム。
【発明の効果】
【００２１】
本発明のスタッカ、後処理装置、又は画像形成システムにより、以下の効果が得られる。
【００２２】
１．  用紙サイズ、用紙の種類、用紙のカール量に関係なく常に良好な用紙揃えが実現される。
【００２３】
２．  スタッカのパドルにより良好な用紙揃えが行われ、後続の平綴じ処理、中綴じ時処理、糊付け製本処理等により最適の形態の冊子を作製する事が出来る。
【００２４】
３．  画像形成装置の定着装置で各種の用紙に発生したカールは、後処理装置のスタッカのパドルにより解消され良好な用紙揃えが行われる。
【発明を実施するための最良の形態】
【００２５】
以下に本発明の実施形態を、図を参照して詳細に説明する。
【００２６】
［スタッカ］
図１（ａ）は、スタッカ１０の平面図、図１（ｂ）は正面図である。図２はスタッカ１０の要部斜視図である。
【００２７】
スタッカ１０は、用紙Ｓを受容して積載する用紙積載台１１、用紙Ｓの先端部を突き当てて整合する突き当て部材１２、用紙Ｓの幅方向を整合する左右一対の整合部材１３Ａ、１３Ｂ、パドル１６Ａ、１６Ｂ、位置変更部材及び駆動伝達部材を備えている。
【００２８】
［駆動伝達部材］
スタッカ１０の側板１４Ａに設置されたモータＭ１は、駆動伝達部材を介してパドル１６Ａ、１６Ｂを回転する。駆動伝達部材は、ギアＧ１、ギアＧ２、ギアＧ３、ギアＧ４Ａ、ギアＧ４ＢおよびギアＧ５Ａから構成されている。モータＭ１は、ギアＧ１、Ｇ２を介して回転軸方向に長い直線状の歯形を有するギアＧ３を回転させる。ギアＧ３の両軸端の回転軸は、スタッカ１０の側板１１Ａ、側板１４Ｂ間に回転自在に支持されている。即ち、ギアＧ３は用紙搬送方向に直交する方向に架設されている。
【００２９】
ギアＧ３の両端部付近には、ギアＧ４Ａ及びＧ４Ｂがそれぞれ噛み合い、且つ、後述の位置変更部材によって、ギアＧ３の回転軸方向に移動可能に支持されている。ギアＧ４Ａは位置変更部材１５Ａに支持されたギアＧ５Ａを回転させ、ギアＧ５Ａと同軸上のパドル１６Ａを回転させる。また、ギアＧ４Ｂは位置変更部材１５Ｂに支持されたギアＧ５Ｂを回転させ、ギアＧ５Ｂと同軸上のパドル１６Ｂを回転させる。
【００３０】
パドル１６Ａ１６Ｂは、用紙積載台１１に送り込まれる用紙Ｓの上面側に接触して回転することにより、用紙Ｓを搬送して用紙Ｓの先端部を用紙突き当て部材１２に当接させる。また、用紙積載台１１に送り込まれる用紙Ｓの上面側を押圧して用紙Ｓのカールを矯正して平坦な状態に保持させる。この平坦化された用紙Ｓの両側面は、整合部材１３Ａ、１３Ｂの押圧により用紙の搬送方向と直交する方向に整合が行われる。
【００３１】
なお、用紙積載台１１上に積載される用紙Ｓの枚数によって高さが変化するため、図示しない駆動装置により、高さに対応してパドル１６Ａ、１６Ｂの高さを変更する。
【００３２】
図３はパドル１６の拡大断面図である。パドル１６Ａ、１６Ｂは同形状をなすことから、以下、総称してパドル１６と称して説明する。
【００３３】
パドル１６は、パドル軸１６１、パドル軸１６１に設けられた保持部材１６２、保持部材１６２に設けられた羽根板１６３から構成されている。
【００３４】
パドル軸１６１は図１に示すように、駆動伝達部材を介してモータＭ１により回転される。保持部材１６２には複数（図示の４枚）の羽根板１６３が装着されている。
【００３５】
羽根板１６３は、弾性薄板により形成されている。例えば、ポリウレタンゴム等の樹脂製の薄板であり、厚さは１ｍｍとしている。
【００３６】
パドル１６の他の形態として、パドル軸１６１と保持部材１６２と羽根板１６３とをポリウレタンゴムにより一体成型したものを用いる事も可能である。
【００３７】
［パドルの位置変更部材］
図１に示すように、スタッカ１０に設置されたモータＭ２により駆動回転されるピニオンギアＧ６は、位置変更部材１５ＡのラックギアＧ７Ａ、及び位置変更部材１５ＢのラックギアＧ７Ｂに噛み合っている。ピニオンギアＧ６の回転により、ラックギアＧ７Ａを有する位置変更部材１５Ａ、及びラックギアＧ７Ｂを有する位置変更部材１５Ｂは、用紙搬送方向と直交する方向に互いに逆方向に直線移動する。
【００３８】
用紙Ｓのサイズに応じて位置変更部材１５Ａと位置変更部材１５Ｂを移動することでパドル１６Ａ、１６Ｂの位置が変更され、回転するパドル１６Ａ、１６Ｂが用紙Ｓの両端部近傍を押圧して、用紙Ｓに生じたカールを矯正して平坦化する。
【００３９】
図４は、パドル１６Ａ、１６Ｂと用紙サイズの平面図である。
【００４０】
制御部１００は、スタッカ１０に収容される用紙Ｓのサイズに応じて位置変更部材を介してパドル１６Ａ、１６Ｂを用紙Ｓの受容方向と直交する方向に移動させて位置を変更した後、回転する羽根板１６３を用紙Ｓの表面に押圧させて用紙Ｓを搬送させる事により、用紙Ｓに形成されたカールを矯正して平坦化する。
【００４１】
図５（ａ）は、用紙Ｓの両端部付近に発生したカールを矯正するパドル１６Ａ、１６Ｂの配置を示す断面図である。図５（ｂ）は、用紙Ｓの中央部付近に発生したカールを矯正するパドル１６Ａ、１６Ｂの配置を示す断面図である。実線の用紙Ｓはカール矯正前を示し、点線の用紙Ｓ’はカール矯正後を示す。
【００４２】
図６は、パドル１６Ａ、１６Ｂ、位置変更部材、及び整合部材１３Ａ、１３Ｂの制御を示すブロック図である。制御部１００は、操作部９の設定情報に基づき、モータＭ２の駆動を制御して位置変更部材を介してパドルの位置を制御する。また、制御部１００は、モータＭ１の駆動を制御し、駆動伝達部材を介してパドル１６Ａ、１６Ｂの回転を制御する。更に、整合部材１３Ａ、１３Ｂおよび後処理装置ＦＳの各部の駆動を制御する。
【００４３】
画像形成装置Ａの上部前面側には、各種の設定を行う操作部９が配置されている。操作部９には、用紙サイズを設定するサイズ設定部、用紙枚数を設定する枚数設定部、用紙の種類を設定する用紙種設定部およびパドルの位置を端部又は中央部に設定するパドル位置設定部を有する。用紙種設定部では、各種の用紙種として、例えば、普通紙、厚手紙、薄手紙、再生紙、上質紙等を選択して設定する。また、画像形成モードや後処理モードを選択して設定するモード設定部を有する。
【００４４】
なお、制御部１００は画像形成装置Ａに設けられていても、後処理装置ＦＳに設けられていてもよい。
【００４５】
［画像形成システム］
図７は、画像形成装置Ａと後処理装置ＦＳから構成された画像形成システムの全体図である。
【００４６】
画像形成システムの構成を図７の構成図に基づいて説明する。なお、これは一例であって、どのような形態の画像形成装置や後処理装置により構成される画像形成システムであっても後述する後処理が行われるならば本発明の範疇に包含されるものである。
【００４７】
画像形成装置Ａは、回転する像担持体１の周囲に、帯電装置２、像露光装置３、現像装置４、転写装置５Ａ、除電部材５Ｂ、分離爪５Ｃ、及びクリーニング装置６を有し、帯電装置２によって像担持体１の表面に一様帯電を行った後に、像露光装置３のレーザビームによって原稿から読み取られた画像データに基づく露光走査を行って潜像を形成し、該潜像を現像装置４により反転現像して像担持体１の表面にトナー像を形成する。
【００４８】
一方、給紙部７Ａから給紙された用紙Ｓは転写位置へ送られる。転写位置において転写装置５Ａによりトナー像が用紙Ｓ上に転写される。その後に、用紙Ｓは除電装置５Ｂにより裏面の電荷が消去され、分離爪５Ｃにより像担持体１から分離され、中間搬送部７Ｂにより搬送され、引き続き定着装置８により加熱定着され、排紙ローラ７Ｃにより排出される。
【００４９】
画像形成後の像担持体１の表面は、分離爪５Ｃの下流においてクリーニング装置６により表面に残留しているトナーが除去され、次の画像形成に備える。
【００５０】
一方、用紙Ｓの両面に画像形成を行う場合には、搬送路切換板７Ｄを切り換えることにより、定着装置８により加熱定着された用紙Ｓは下方に搬送され、反転搬送部７Ｅの反転ローラ７Ｅ１においてスイッチバックして表裏反転された後、再度転写位置へ再搬送され、転写位置において新たなトナー像が裏面に転写される。その後は、定着装置８で加熱定着され、搬送路切換板７Ｄを通過した後、排紙ローラ７Ｃにより排出される。
【００５１】
更に後述するように、折り処理及び綴じ処理等の後処理を行うときには、搬送路切換板７Ｄを切り換えることにより、定着装置８により加熱定着された用紙Ｓは下方に搬送され、反転ローラ７Ｅ２によりスイッチバックして表裏反転されて、排紙ローラ７Ｃにより排出される。
【００５２】
［後処理装置］
後処理装置ＦＳには、入口搬送部２０、給紙台３０、シフト部４０、排紙部５０、綴じ装置６０、折り装置７０が配置されている。
【００５３】
後処理装置ＦＳの図示左側面部には、固定排紙台８１、シフト処理済みの用紙Ｓ及び平綴じ処理済みの冊子Ｓａを積載して昇降する昇降排紙台８２、中綴じ処理後に折り処理された冊子Ｓｂを積載する固定排紙台８３が配置されている。
【００５４】
画像形成装置Ａの排紙ローラ７Ｃから排出された用紙Ｓは、後処理装置ＦＳの入口搬送部２０に配置された搬送ローラ２１に導入される。なお、搬送ローラ２１は画像形成装置Ａの排紙ローラ７Ｃと位置が合致するように配置されている。
【００５５】
また、搬送ローラ２１には、画像形成装置Ａから排出された用紙Ｓばかりでなく、給紙台３０から供給される表紙や挿入紙等の合紙Ｋも導入される。合紙Ｋは給紙ローラ３１により分離・給送され、搬送ローラ３２、３３により搬送されて搬送ローラ２１に導入され、搬送ローラ２２に搬送される。用紙Ｓ、合紙Ｋを以下、総称して用紙Ｓと称す。
【００５６】
切換ゲートＹ１、Ｙ２は図示しないソレノイドの駆動により三方の用紙搬送路、即ち、固定排紙台８１に至る第１搬送路ｒ１、シフト部４０に至る第２搬送路ｒ２、綴じ装置６０に至る第３搬送路ｒ３の何れかに選択的に分岐させる。
【００５７】
ここで、単純排紙が設定されると、切換ゲートＹ１、Ｙ２は第１搬送路ｒ１のみを開放し、他の第２搬送路ｒ２及び第３搬送路ｒ３を遮断する。そして、用紙Ｓは第１搬送路ｒ１を通過して上昇し、固定排紙台８１上に順次積載される。
【００５８】
シフト処理が設定されると、切換ゲートＹ１、Ｙ２は第２搬送路ｒ２のみを開放し、第１搬送路ｒ１及び第３搬送路ｒ３を遮断する。そして、用紙Ｓは第２搬送路ｒ２を通過し、シフト部４０により用紙搬送方向直交する方向にシフト処理される。シフト部４０は所定の枚数毎に、搬送幅方向に用紙Ｓの排紙位置を変えるシフト処理を行う。シフト処理された用紙Ｓは昇降排紙台７２に排出されて順次載置される。
【００５９】
綴じ処理または折り処理が設定されると、切換ゲートＹ１、Ｙ２は第３搬送路ｒ３のみを開放し、第１搬送路ｒ１及び第２搬送路ｒ２を遮断する。そして、用紙Ｓは第３搬送路ｒ３を通過し、用紙Ｓの用紙搬送方向の先端部がレジストローラ６１の挟持位置付近に当接して停止され、用紙先端の整合が行われる。用紙Ｓの進行方向の後端部がレジストローラ６１の挟持位置から排出された後には、用紙Ｓは慣性力によって斜行配置された用紙積載台６２Ａに沿って上方に放出され、その後、自重により下降に転じ、用紙積載台６２Ａの傾斜面上を滑走・下降して突き当て部材６３Ａに当接して停止す
る。
【００６０】
用紙積載台６２Ａの下流側の突き当て部材６３Ａの近傍には、前述のパドル６５Ａ、位置変更部材、整合部材６４Ａ等を備えた第１のスタッカが配置され、用紙Ｓのカールを矯正して平坦状になし整合する。
【００６１】
所定枚数の用紙Ｓが用紙積載台６２Ａ上に積載されると、用紙積載台６２Ａの両側面に移動可能に設けた一対の整合部材６４Ａにより整合され、続いて、綴じ装置６０により冊子Ｓａの側縁片近傍の１箇所若しくは中央の２箇所に綴じ針が打針され、綴じ処理が行われる。綴じ処理された冊子Ｓａは用紙積載台６２Ａの載置面上を斜め上方に搬送ベルト６６により搬送され、昇降排紙台８２上に排出して積載される。
【００６２】
中綴じ中折り処理を行う場合には、平綴じ用の突き当て部材６３Ａを搬送路から退避させ、用紙積載台６２Ａの傾斜面上を滑走、下降させて、下方の中綴じ用の突き当て部材６３Ｂに用紙Ｓの先端部を当接させて停止させて、用紙積載台６２Ｂ上に積載される。
【００６３】
用紙積載台６２Ｂの更に下流側の突き当て部材６３Ｂの近傍には、前述のパドル６５Ｂ、位置変更部材、整合部材６４Ｂ等を備えた第２のスタッカが配置され、用紙Ｓのカールを矯正して平坦状になし整合する。
【００６４】
用紙Ｓの整合を行った後、綴じ装置６０により用紙Ｓの中央に綴じ針を打ち込む。折り装置７０は、折り板７１、複数の折りローラ７２を有し、中綴じ処理された冊子Ｓｂの中央を折り処理して排出し、固定排紙台８３上に載置する。
【図面の簡単な説明】
【００６５】
【図１】スタッカの平面図及び正面図。
【図２】スタッカの要部斜視図。
【図３】パドルの拡大断面図。
【図４】パドルと用紙サイズの平面図。
【図５】パドルの配置を示す断面図。
【図６】パドルの駆動伝達部材、位置変更部材、及び整合部材の制御を示すブロック図。
【図７】画像形成装置と後処理装置から構成された画像形成システムの全体図。
【符号の説明】
【００６６】
９  操作部
１０  スタッカ
１１  用紙積載台
１２  突き当て部材
１３Ａ、１３Ｂ  整合部材
１５Ａ、１５Ｂ  位置変更部材
１６、１６Ａ、１６Ｂ  パドル
１６１  パドル軸
１６２  保持部材
１６３  羽根板
６０  綴じ装置
６２Ａ、６２Ｂ  用紙積載台
６３Ａ、６３Ｂ  突き当て部材
６４Ａ、６４Ｂ  整合部材
６５Ａ、６５Ｂ  パドル
６６  搬送ベルト
７０  折り装置
１００  制御部
Ａ  画像形成装置
ＦＳ  後処理装置
Ｍ１、Ｍ２  モータ
Ｓ  用紙
【図１】
2008024506.tif 000003
【図２】
2008024506.tif 000004
【図３】
2008024506.tif 000005
【図４】
2008024506.tif 000006
【図５】
2008024506.tif 000007
【図６】
2008024506.tif 000008
【図７】
2008024506.tif 000009